(57)【要約】【課題】この発明は、ユーザがＰＣにて指定した任意の画像をメニュー画面の背景画像として利用することが可能となる。【解決手段】この発明は、メニュー画面上の背景画像として用いる画像をユーザの指示に基づいてパーソナルコンピュータＰＣから光ディスク記録再生装置Ａへ送信し、光ディスク記録再生装置Ａでは、ＤＶＤ−Ｒに記録するタイトルに対するメニュー画面の背景画像を予め光ディスク装置に設定されているサンプル画像と、ユーザが指示した画像とから選択させ、メニュー情報を作成するようにしたものである。【選択図】    図１
2004185667.tif 000002
【特許請求の範囲】
【請求項１】
予め第１のメニュー設定情報が記録されているメモリを有し、映像情報と前記映像情報に対するメニュー情報とを記録媒体に記録する情報記録装置であって、
外部機器から取得した第２のメニュー設定情報を記録する記録手段と、
この記録手段に記録されている第２のメニュー設定情報あるいは前記メモリに記録されている第１のメニュー設定情報から選択された１つのメニュー設定情報に基づいて前記記録媒体に記録するメニュー情報を生成する生成手段と、
を具備することを特徴とする情報記録装置。
【請求項２】
前記記録手段は、前記外部機器から取得した画像情報をメニュー情報により表示されるメニュー画面における背景画像とする第２のメニュー設定情報として記録することを特徴とする前記請求項１に記載の情報記録装置。
【請求項３】
前記記録手段は、前記外部機器から取得したボタン色情報をメニュー情報により表示されるメニュー画面上のボタンの色を示す第２のメニュー設定情報として記録することを特徴とする前記請求項１に記載の情報記録装置。
【請求項４】
予め第１のメニュー設定情報が記憶されているメモリを有し、ＤＶＤ−Ｖｉｄｅｏ規格の映像情報と前記映像情報に対するメニュー情報とを記録媒体に記録する情報記録装置であって、
外部機器から第２のメニュー設定情報を受信する通信手段と、
この通信手段により受信した第２のメニュー設定情報を記録する第１の記録手段と、
この第１の記録手段に記録されている第２のメニュー設定情報あるいは前記メモリに記録されている第１のメニュー設定情報から選択された１つのメニュー設定情報に基づいてメニュー情報を生成する生成手段と、
この生成手段により生成したメニュー情報と前記ＤＶＤ−Ｖｉｄｅｏ規格の映像情報を前記記録媒体に記録する第２の記録手段と、
を具備することを特徴とする情報記録装置。
【請求項５】
前記第１の記録手段は、前記通信手段により外部機器から受信した画像情報をメニュー情報により表示されるメニュー画面における背景画像とする第２のメニュー設定情報として記録することを特徴とする前記請求項４に記載の情報記録装置。
【請求項６】
前記第１の記録手段は、前記通信手段により外部機器から受信したボタン色情報を、メニュー情報により表示されるメニュー画面上のボタンの色を示す第２のメニュー設定情報として記録することを特徴とする前記請求項４に記載の情報記録装置。
【請求項７】
予め第１のメニュー設定情報が記録されているメモリを有し、映像情報と前記映像情報に対するメニュー情報とを記録媒体に記録する情報記録装置に用いられる情報記録方法であって、
外部機器から取得した第２のメニュー設定情報を記録手段に記録し、
前記記録手段に記録されている第２のメニュー設定情報あるいは前記メモリに予め記録されている第１のメニュー設定情報から選択された１つのメニュー設定情報に基づいて前記記録媒体に記録するメニュー情報を生成する、
ことを特徴とする情報記録方法。
【請求項８】
前記記録手段には、前記外部機器から取得した画像情報をメニュー情報により表示されるメニュー画面における背景画像とする第２のメニュー設定情報として記録することを特徴とする前記請求項７に記載の情報記録方法。
【請求項９】
前記記録手段には、前記外部機器から取得したボタン色情報をメニュー情報により表示されるメニュー画面上のボタンの色を示す第２のメニュー設定情報として記録することを特徴とする前記請求項７に記載の情報記録方法。
【請求項１０】
予め第１のメニュー設定情報が記憶されているメモリを有し、ＤＶＤ−Ｖｉｄｅｏ規格の映像情報と前記映像情報に対するメニュー情報とを記録媒体に記録する情報記録装置に用いられる情報記録方法であって、
外部機器から第２のメニュー設定情報を受信し、
この受信した第２のメニュー設定情報を第１の記録手段に記録し、
前記第１の記録手段に記録されている第２のメニュー設定情報あるいは前記メモリに予め記録されている第１のメニュー設定情報から選択された１つのメニュー設定情報に基づいてメニュー情報を生成し、
この生成したメニュー情報と前記ＤＶＤ−Ｖｉｄｅｏ規格の映像情報とを前記記録媒体に記録する、
ことを特徴とする情報記録方法。
【請求項１１】
前記第１の記録手段には、前記外部機器から受信した画像情報をメニュー情報により表示されるメニュー画面における背景画像とする第２のメニュー設定情報として記録することを特徴とする前記請求項１０に記載の情報記録方法。
【請求項１２】
前記第１の記録手段には、前記外部機器から受信したボタン色情報をメニュー情報により表示されるメニュー画面上のボタンの色を示す第２のメニュー設定情報として記録することを特徴とする前記請求項１０に記載の情報記録方法。
【発明の詳細な説明】
【０００１】
【発明の属する技術分野】
本発明は、例えば、ハードディスクに記録されているＤＶＤ−ＶＲ（Ｖｉｄｅｏ−Ｒｅｃｏｒｄｉｎｇ）規格による映像情報をＤＶＤ−Ｖｉｄｅｏ規格による映像情報に変換して光ディスクに記録する情報記録装置及び情報記録方法に関する。
【０００２】
【従来の技術】
最近、ＤＶＤ（Ｄｉｇｉｔａｌ  Ｖｅｒｓａｔｉｌｅ  Ｄｉｓｋ）等の普及に伴い、ディスクに記録された映像の記録や編集、再生が繰り返し様々な規格で行われている。例えば、ＤＶＤ記録再生装置で記録される場合は、ＤＶＤ−ＶＲ規格で記録されることとなり、又、通常のＤＶＤ再生装置では、ＤＶＤ−Ｖｉｄｅｏ規格で記録された映像情報がＤＶＤプレイヤ等で再生されている。
【０００３】
しかし、ＤＶＤ記録再生装置で、ＤＶＤ−ＶＲ規格により記録された映像情報は、このままでは、通常のＤＶＤプレイヤでは再生することができない。従って、例えば、個人がＤＶＤ−ＶＲ規格で記録した結婚式の映像等を各家庭のＤＶＤプレイヤで再生可能な映像情報として記録しておきたい場合、ＤＶＤ−ＶＲ規格による映像情報をＤＶＤ−Ｖｉｄｅｏ規格による映像情報に変換してＤＶＤに記録する。また、従来の記録装置では、映像情報とともにＤＶＤに記録されるメニューを予め設定されているメニュー情報からユーザが選択して作成するようになっている。すなわち、メニューは、予め設定されている形式のものしか作成できない。このため、各ユーザがオリジナルなメニュー画面を作成してＤＶＤに記録できるものが要望されている。
【０００４】
【特許文献１】
特開２００１−３３２００６号公報
【０００５】
【発明が解決しようとする課題】
本発明は、ユーザが指定した映像情報とともにユーザが作成したオリジナルなメニュー情報を記録媒体に記録することができる情報記録装置及び情報記録方法を提供することを目的とする。
【０００６】
【課題を解決するための手段】
本発明の情報記録装置は、予め第１のメニュー設定情報が記録されているメモリを有し、映像情報と前記映像情報に対するメニュー情報とを記録媒体に記録するものであって、外部機器から取得した第２のメニュー設定情報を記録する記録手段と、この記録手段に記録されている第２のメニュー設定情報あるいは前記メモリに記録されている第１のメニュー設定情報から選択された１つのメニュー設定情報に基づいて前記記録媒体に記録するメニュー情報を生成する生成手段とから構成される。
【０００７】
本発明の情報記録再生装置は、予め第１のメニュー設定情報が記憶されているメモリを有し、ＤＶＤ−Ｖｉｄｅｏ規格の映像情報と前記映像情報に対するメニュー情報とを記録媒体に記録するものであって、外部機器から第２のメニュー設定情報を受信する通信手段と、この通信手段により受信した第２のメニュー設定情報を記録する第１の記録手段と、この第１の記録手段に記録されている第２のメニュー設定情報あるいは前記メモリに記録されている第１のメニュー設定情報から選択された１つのメニュー設定情報に基づいてメニュー情報を生成する生成手段と、この生成手段により生成したメニュー情報と前記ＤＶＤ−Ｖｉｄｅｏ規格の映像情報を前記記録媒体に記録する第２の記録手段とから構成されている。
【０００８】
本発明の情報記録方法は、予め第１のメニュー設定情報が記録されているメモリを有し、映像情報と前記映像情報に対するメニュー情報とを記録媒体に記録する情報記録装置に用いられる方法であって、外部機器から取得した第２のメニュー設定情報を記録手段に記録し、前記記録手段に記録されている第２のメニュー設定情報あるいは前記メモリに予め記録されている第１のメニュー設定情報から選択された１つのメニュー設定情報に基づいて前記記録媒体に記録するメニュー情報を生成することを特徴とする。
【０００９】
本発明の情報記録方法は、予め第１のメニュー設定情報が記憶されているメモリを有し、ＤＶＤ−Ｖｉｄｅｏ規格の映像情報と前記映像情報に対するメニュー情報とを記録媒体に記録する情報記録装置に用いられる方法であって、外部機器から第２のメニュー設定情報を受信し、この受信した第２のメニュー設定情報を第１の記録手段に記録し、前記第１の記録手段に記録されている第２のメニュー設定情報あるいは前記メモリに予め記録されている第１のメニュー設定情報から選択された１つのメニュー設定情報に基づいてメニュー情報を生成し、この生成したメニュー情報と前記ＤＶＤ−Ｖｉｄｅｏ規格の映像情報とを前記記録媒体に記録することを特徴とする。
【００１０】
【発明の実施の形態】
以下、図面を参照して本発明に係る実施の形態について詳細に説明する。
図１は、本発明の実施の形態に係るフォーマット変換機能と編集機能とを備える光ディスク記録再生装置の一例を示すブロック図である。
図１に示す光ディスク記録再生装置Ａは、映像情報の記録再生、映像情報のフォーマット変換、および、映像情報の編集などを行うことができる機能を有するものである。
【００１１】
上記光ディスク記録再生装置Ａは、全体の動作がデータバスを介してフラッシュＲＯＭ１１とワークメモリ１２と接続されているメインＭＰＵ１０により制御される。さらに、上記メインＭＰＵ１０は、全体を制御する制御機能に加えて、映像情報のファーマットを変換する変換機能を有している。また、上記メインＭＰＵ１０は、通信制御部（通信手段）１３を介して外部機器としてのパーソナルコンピュータ（ＰＣ）７０と通信を行う機能を有している。
【００１２】
上記ＰＣ７０は、ＣＰＵ、ＲＯＭ、ＲＡＭ、及び各種インターフェースなどのハードウエアから構成され、記憶装置７１及び通信制御部７２を有している。上記記憶装置７１は、ハードディスクなどにより構成され、例えば、デジタルカメラにて撮影された画像やユーザが作成したデータなどのユーザデータが記憶される。上記通信制御部７２は、上記光ディスク記録再生装置Ａとのデータ通信を制御するインターフェースである。また、上記光ディスク記録再生装置Ａの通信制御部１３と上記ＰＣ７０の通信制御部７２とは、例えば、Ｗｅｂサーバを介して通信を行うようにしても良い。この場合、上記通信制御部７２は、上記ＰＣ７０内のＣＰＵ、ＲＡＭ及びインターフェースなどにより機能するＷｅｂブラウザにより実現される。
【００１３】
また、上記光ディスク記録再生装置Ａは、ハードディスクＨＤ又は光ディスクＤにビデオ信号やオーディオ信号（映像情報）などを記録する機能を有している。上記光ディスク記録再生装置Ａでは、主にビデオ信号をハードディスクＨＤ又は光ディスクＤに記録する機能のための構成として、チューナ２０、ラインセレクタ２１、ビデオデコーダ２３、３ＹＣＤＮＲ２４、ＥＤＯ２５、フレーム同期器２６、ＳＤＲＡＭ２７、ＭＰＥＧ２エンコーダ２９、ブリッジ回路６１、ＡＴＡＰＩコントローラ６０、コピープロテクト６３、ＣＰＲＭ６４などを有している。
【００１４】
上記チューナ２０によりチューニングされた信号とラインインからの信号は、ラインセレクタ２１へ与えられる。上記ラインセレクタ２１は、上記チューナ２０からの信号とラインインからの信号に基づいてビデオ信号をＥＤＯ２５を伴う３ＹＣＤＮＲ２４へ出力する。上記３ＹＣＤＮＲ２４は、上記ラインセレクタ２１からのビデオ信号をビデオデコーダ２３へ供給する。上記ビデオデコーダ２３によりデコードされたビデオ信号はＳＤＲＡＭ２７を伴うフレーム同期器２６へ供給される。さらに、上記フレーム同期器２６は、ＳＤＲＡＭ３０を伴うＭＰＥＧ２エンコーダ２９にビデオ信号を供給する。上記ＭＰＥＧ２エンコーダ２９は、上記フレーム同期器２６からのビデオ信号に対してＭＰＥＧ２によるエンコード処理を施す。
【００１５】
また、上記光ディスク記録再生装置Ａは、主にオーディオ信号をハードディスクＨＤ又は光ディスクＤに記録する機能のための構成として、チューナ２０、ラインセレクタ２１、オーディオＡＤコンバータ２２、オーディオエンコーダ２８、ＭＰＥＧ２エンコーダ２９、ブリッジ回路６１、ＡＴＡＰＩコントローラ６０などを有している。
【００１６】
上記ラインセレクタ２１は、上記チューナ２０からの信号とラインインからの信号に基づいてオーディオ信号をオーディオＡＤコンバータ２２へ供給する。上記オーディオＡＤコンバータ２２は、上記ラインセレクタ２１からのオーディオ信号をＡＤ変換してオーディオエンコーダ２８へ供給する。上記オーディオエンコーダ２８は、上記オーディオＡＤコンバータ２２からのオーディオ信号に対してエンコード処理を施し、上記ＭＰＥＧ２エンコーダ２９に供給する。
【００１７】
更に、上記ＭＰＥＧ２エンコーダ２９からの上記ビデオ信号及び上記オーディオ信号は、上記メインＭＰＵ１０に制御されるブリッジ回路６１及びＡＴＡＰＩコントローラ６０を介して、コピープロテクト６３を介するハードディスクＨＤ又はＣＰＲＭ６４を介する光ディスクＤに記録される。
【００１８】
又、上記チューナ２０及び上記ディスプレイＭＰＵ５０は、タイマＭＰＵ４０の動作制御を受けている。これにより、上記チューナ２０及び上記ディスプレイＭＰＵ５０により制御されるディスプレイ５１は、タイマＭＰＵ４０のタイマによる動作制御が行われる。
【００１９】
上記のような構成により光ディスク記録再生装置Ａでは、ハードディスクＨＤビデオ信号とオーディオ信号からなる映像情報を記録する機能と光ディスクＤに映像情報を記録する機能（第２の記録手段）とを実現している。
【００２０】
上記光ディスク記録再生装置Ａは、上記ハードディスクＨＤ又は上記光ディスクＤに記録されている映像情報などを再生する機能を有している。上記光ディスク記録再生装置Ａでは、主に映像情報などを再生するのための構成として、ＭＰＥＧデコーダ３１、ＳＤＲＡＭ３２、オーディオＤＡコンバータ３３、ビデオデコーダ３４、グラフィック３５、ＳＤＲＡＭ３６、ＡＴＡＰＩコントローラ６０などを有している。
【００２１】
上記ＡＴＡＰＩコントローラ６０は、上記メインＭＰＵ１０の制御により上記コピープロテクト６３を介するハードディスクＨＤ又は上記ＣＰＲＭ６４を介する光ディスクＤから映像情報を読み出す。上記ＡＴＡＰＩコントローラ６０により読み出された映像情報は、上記ＭＰＥＧデコーダ３１へ供給される。上記ＭＰＥＧデコーダ３１は、与えられた映像情報をデコードする。さらに、上記ＭＰＥＧデコーダ３１は、デコードした映像情報のうちビデオ信号を上記ＳＤＲＡＭ３６を伴う上記グラフィック回路３５へ供給し、オーディオ信号を上記オーディオＤＡコンバータ３３へ供給する。上記グラフィック回路３５に供給されたビデオ信号は、上記ビデオデコーダ３４によりデコードされてＶｏｕｔから外部へ出力される。また、上記ＭＰＥＧデコーダ３１からオーディオ信号が供給されたオーディオＤＡコンバータ３３は、上記オーディオ信号をＤＡ変換してＡｏｕｔから外部へ出力する。
【００２２】
このような構成により本光ディスク記録再生装置Ａは、ハードディスクＨＤ又は光ディスクＤに記録されている映像情報を再生することが可能となっている。また、上記のような記録機能と再生機能とは、上記メインＭＰＵ１０により制御されるブリッジ回路６１にて動作制御される。
【００２３】
また、本光ディスク記録再生装置Ａは、複数の映像フォーマットに対応しており、少なくとも、ＤＶＤ−ＶＲ（Ｖｉｄｅｏ−Ｒｅｃｏｒｄｉｎｇ）規格による映像情報の記録再生機能及びＤＶＤ−Ｖｉｄｅｏ規格による映像情報の記録再生機能を有している。例えば、本光ディスク記録再生装置Ａでは、上記ハードディスクＨＤにはＤＶＤ−ＶＲ規格による映像情報を記録し、上記光ディスクＤにはＤＶＤ−Ｖｉｄｅｏ規格による映像情報を記録することが可能である。
【００２４】
また、本光ディスク記録再生装置Ａでは、ハードディスクＨＤに記録されている映像情報を光ディスクＤに記録する機能を有している。さらに、本光ディスク記録再生装置Ａは、上記メインＭＰＵ１０の制御によりＤＶＤ−ＶＲ規格の映像情報をＤＶＤ−Ｖｉｄｅｏ規格の映像情報に変換する機能を有している。従って、本光ディスク記録再生装置Ａでは、例えば、上記ハードディスクＨＤに記録されているＤＶＤ−ＶＲ規格の映像情報をＤＶＤ−Ｖｉｄｅｏ規格の映像情報に変換して光ディスクＤに記録することが可能となっている。
【００２５】
また、上記光ディスク記録再生装置Ａは、映像情報に対するメニュー情報を生成する機能（生成手段）を有している。上記メニュー情報は、映像情報に対するメニュー画面として表示される情報を示すものである。例えば、ＤＶＤ−Ｖｉｄｅｏ規格の映像情報を記録した光ディスクＤを再生する際、当該光ディスクに記録された映像情報に関するメニュー画面が上記メニュー情報に基づいて表示される。また、光ディスクに記録されるメニュー情報に基づいて表示されるメニュー画面では、例えば、当該光ディスクに記録されている映像情報の各タイトルを示すボタンが表示される。このようなメニュー画面に表示されたボタンを選択することにより、ユーザが、所望の映像情報を再生させることが可能となる。
【００２６】
ここで、上記メニュー情報には、少なくともメニュー用背景画像とボタン色情報とが含まれているものとする。上記メニュー用背景画像は、メニュー画面の背景とする背景画像であり、上記ボタン色情報は、メニュー画面上で表示するボタンの色を示す情報である。さらに、上記ボタン色情報としては、ユーザにより、選択されていない状態のボタンの色と選択された状態のボタンの色とが示されている。
【００２７】
また、上記フラッシュＲＯＭ１１には、予めメニュー情報を生成する際にユーザが選択可能なメニュー設定情報（第１のメニュー設定情報）が記録されている。ここで、上記メニュー設定情報としては、メニュー用背景画像及びボタン色情報などからなるものとする。上記フラッシュＲＯＭ１１には、複数のメニュー設定情報が予め記録されており、例えば、８種類のメニュー設定情報が記録されている。
【００２８】
さらに、上記ハードディスクＨＤは、記録手段（第１の記録手段）として機能し、ユーザがＰＣ７０から指定するメニュー設定情報（第２のメニュー設定情報）としてのメニュー用背景画像あるいはボタン色情報が記録できるようになっている。すなわち、本光ディスク記録再生装置Ａでは、上記フラッシュＲＯＭ１１に記録されているメニュー設定情報及び上記ハードディスクＨＤに記録されているメニュー設定情報からメニュー情報を生成するために利用するメニュー設定情報としてのメニュー用背景画像及びボタン色情報を選択できるようになっている。
【００２９】
次に、上記ＰＣ７０からメニュー情報として使用可能なメニュー設定情報を上記光ディスク記録再生装置Ａの上記ハードディスクＨＤに記録する処理について説明する。
図２は、上記ＰＣ７０からのメニュー設定情報を取得してハードディスクＨＤに記録する処理を説明するためのフローチャートである。
【００３０】
まず、ユーザは、上記記憶装置７１に記憶されているデータからメニュー設定情報としてのメニュー用背景画像及びボタン色情報を指定する。つまり、ユーザは、ＰＣ７０上で上記光ディスク記録再生装置Ａにて作成するメニュー情報としてのメニュー画面の背景画像として用いるメニュー用背景画像とメニュー画面上のボタンの色としてのボタン色情報とを指定する。なお、上記メニュー用背景画像あるいは上記ボタン色情報の何れか一方のみをメニュー設定情報として指定するようにしても良い。
【００３１】
上記ＰＣ７０にてユーザがメニュー設定情報を指定すると、上記ＰＣ７０は、上記通信制御部７２を介してユーザにより指定されたメニュー設定情報としてのメニュー用背景画像とボタン色情報とを上記光ディスク記録再生装置Ａへ送信する（ステップＳ１１）。
【００３２】
これに対して、上記光ディスク記録再生装置Ａでは、上記通信制御部１３により上記ＰＣ７０からのメニュー設定情報としてのメニュー用背景画像とメニュー用ボタン色情報とを受信する。なお、ユーザが上記光ディスク記録再生装置Ａを操作することにより上記ＰＣ７０の記憶装置７１内に記憶されているデータからメニュー設定情報を指定し、上記光ディスク記録再生装置Ａから上記ＰＣ７０に上記メニュー設定情報を要求するようにしても良い。
【００３３】
上記光ディスク記録再生装置Ａにてメニュー設定情報を受信した際、上記メインＭＰＵ１０は、ＰＣ７０から受信した上記メニュー用背景画像と上記メニュー用ボタン色情報とを、メニュー情報を生成する際に選択可能なメニュー設定情報として、ハードディスクＨＤに記録する（ステップＳ１２）。
【００３４】
これにより、上記光ディスク記録再生装置Ａでは、メニュー情報を生成する場合、ユーザに対して、上記フラッシュＲＯＭ１１に予め記録されているメニュー設定情報に加えて、上記ハードディスクＨＤに記録されたメニュー設定情報から選択させることが可能となる。
【００３５】
次に、上記光ディスク記録再生装置ＡにてＤＶＤ−ＲにＤＶＤ−Ｖｉｄｅｏ規格による映像情報を記録する際の処理について説明する。
図３は、上記ハードディスクＨＤに記録されている映像情報（タイトル）をＤＶＤ−Ｒに記録する場合の動作例を説明するためのフローチャートである。
【００３６】
まず、ユーザが光ディスク記録再生装置Ａの操作部（例えば、図示しないリモコン装置など）によりＤＶＤ−Ｒの作成処理を選択する（ステップＳ２１）。すると、上記光ディスク記録再生装置ＡのメインＭＰＵ１０は、まず、ＤＶＤ−Ｒに記録するタイトルを選択するよう案内を表示する。この案内に応じてユーザは、ハードディスクＨＤに記録されているタイトルからＤＶＤ−Ｒに記録するタイトルを選択する（ステップＳ２２）。
【００３７】
ＤＶＤ−Ｒに記録するタイトルが選択されると、メインＭＰＵ１０は、当該ＤＶＤ−Ｒ用のメニュー情報を作成するため、上記フラッシュＲＯＭ１１に記録されているメニュー設定情報（予め記録されているデータ）及び上記ハードディスクＨＤに記憶されているメニュー設定情報（ユーザが設定したデータ）からメニューとして使用する情報をユーザに選択させるための処理を行う（ステップＳ２３）。
【００３８】
すなわち、メインＭＰＵ１０は、メニュー画面の背景とする画像（メニュー用背景画像）をフラッシュＲＯＭ１１及びハードディスクＨＤから読み出して画面に一覧表示する。この表示画面により、ユーザは、画面上に表示されたメニュー用背景画像の一覧からメニュー画面の背景とする画像を１つ選択する。
【００３９】
メニュー画面で使用するメニュー用背景画像が選択されると、メインＭＰＵ１０は、さらに、メニュー画面にて使用するボタンの色として使用可能なボタン色情報を上記フラッシュＲＯＭ１１及びハードディスクＨＤから読み出して画面上に表示する。この表示画面により、ユーザは、メニュー画面に表示するボタンの色を選択する。
【００４０】
メニュー画面で使用するボタン色情報が選択されると、上記メインＭＰＵ１０は、メニュー用背景画像及びボタン色情報などのメニュー設定情報を確定し、ユーザが入力するタイトル名などの情報に基づいて当該ＤＶＤ−Ｒに対するメニュー情報を生成する（ステップＳ２４）。
【００４１】
当該ＤＶＤ−Ｒに対するメニュー情報を生成すると、メインＭＰＵ１０は、ＤＶＤ−Ｒにメニュー情報を記録し、ユーザが選択したタイトル（ＤＶＤ−ＶＲフォーマットの映像情報）をハードディスクＨＤから読出し、ＤＶＤ−Ｖｉｄｅｏフォーマットの映像情報に変換する（ステップＳ２５）。これにより、メインＭＰＵ１０は、ＤＶＤ−Ｖｉｄｅｏフォーマットに変換した映像情報をＤＶＤ−Ｒに記録する（ステップＳ２６）。
【００４２】
これらの処理の結果、当該ＤＶＤ−Ｒには、ユーザが選択したタイトルがＤＶＤ−Ｖｉｄｅｏフォーマットで記録されるとともに、ユーザがＰＣ７０にて指定した背景画像及びボタン色からなるメニュー情報が記録される。
【００４３】
上記のように、本実施の形態によれば、ＤＶＤ−Ｒ、ＤＶＤ−Ｒ／Ｗなどの記録媒体にＤＶＤ−Ｖｉｄｅｏ規格の映像情報を記録する場合、ユーザが指定した映像情報とともにユーザが作成したオリジナルなメニュー情報を前記記録媒体に記録することができる。
【００４４】
また、メニュー画面上の背景画像として用いる画像をユーザの指示に基づいてＰＣから光ディスク記録再生装置へ送信して光ディスク記録再生装置内に記録しておき、光ディスク記録再生装置では、ＤＶＤ−Ｒに記録する映像情報に対するメニュー画面の背景画像を予め光ディスク記録再生装置に設定されているサンプル画像と、ユーザがＰＣから設定した画像とから選択させ、当該ＤＶＤ−Ｒに対するメニュー情報を作成するようにしたものである。
これにより、ユーザがＰＣにて指定した任意の画像をメニュー画面の背景画像として利用することが可能となる。
【００４５】
また、メニュー画面上に表示するボタンの色を示すボタン色情報をユーザの指示に基づいてＰＣから光ディスク記録再生装置へ送信して光ディスク記録再生装置内に記録しておき、光ディスク記録再生装置では、ＤＶＤ−Ｒに記録する映像情報に対するメニュー画面上のボタンの色を予め光ディスク記録再生装置に設定されているボタン色情報と、ユーザがＰＣから設定したボタン色情報とから選択させ、当該ＤＶＤ−Ｒに対するメニュー情報を作成するようにしたものである。
これにより、ユーザがＰＣにて指定した任意の色をメニュー画面上で表示するボタンの色として使用することが可能となる。
【００４６】
以上記載した様々な実施形態により、当業者は本発明を実現することができるが、更にこれらの実施形態の様々な変形例を想到することが当業者によって容易であり、発明的な能力をもたなくとも様々な実施形態へと適用することが可能である。すなわち本発明は、開示された原理と新規な特徴に矛盾しない広範な範囲に及ぶものであり、上述した実施形態に限定されるものではない。
【００４７】
【発明の効果】
以上、本発明によれば、ユーザが指定した映像情報とともにユーザが作成したオリジナルなメニュー情報を記録媒体に記録することができる情報記録装置及び情報記録方法を提供できる。
【図面の簡単な説明】
【図１】本発明の実施の形態に係る光ディスク記録再生装置の構成例を示すブロック図。
【図２】ＰＣからのメニュー設定情報を光ディスク記録再生装置に記録する動作を説明するためのフローチャート。
【図３】ユーザが設定したメニュー設定情報に基づくメニュー画面を記録する動作を説明するためのフローチャート。
【符号の説明】
Ａ…光ディスク記録再生装置、ＨＤ…ハードディスク、Ｄ…光ディスク、ＰＣ…パーソナルコンピュータ、１０…メインＭＰＵ、１１…フラッシュＲＯＭ、１２…ワークメモリ、２０…チューナ、２１…ラインセレクタ、２２…オーディオＡＤコンバータ、２３…ビデオデコーダ、２５…ＥＤＯ、２６…フレーム同期器、２７…ＳＤＲＡＭ、２８…オーディオエンコーダ、２９…ＭＰＥＧ２エンコーダ、３１…ＭＰＥＧデコーダ、３３…オーディオＤＡコンバータ、３４…ビデオデコーダ、６０…ＡＴＡＰＩコントローラ、６１…ブリッジ回路、６３…コピープロテクト
【図１】
2004185667.tif 000003
【図２】
2004185667.tif 000004
【図３】
2004185667.tif 000005